(57)【特許請求の範囲】
【請求項１】
手摺り支柱にパネルを固定するためのパネル固定具であって、
上記パネル固定具は、パネル固定金具保持部を備えた手摺り支柱と、パネル固定金具とからなり、
上記パネル固定金具保持部は、上記手摺り支柱の面の幅方向中央部に長さ方向に沿った凸形状の台からなり、上記台は上記パネル固定金具の備えるＴ字状の突起部が嵌挿可能であって且つ多段に設けられた複数の溝部を備え、
上記パネル固定金具は、左右に設けた一対のパネル嵌合溝と上記一対のパネル嵌合溝を仕切る隔壁とからなるパネル保持部と、上記隔壁の延長上にＴ字状の突起部とを備え、
上記Ｔ字状の突起部が、上記のパネル固定金具保持部の備える上記複数の溝部のうちのいずれかに嵌挿されることにより、パネル嵌合溝に固定されるパネルの位置を調節することを特徴とするパネル固定具。
【請求項２】
上記溝部が第１溝部及び第２溝部からなる請求項１に記載パネル固定具。
【請求項３】
手摺り支柱にパネルを固定するためのパネル固定具であって、
上記パネル固定具は、パネル固定金具保持具とパネル固定金具とからなり、
上記パネル固定金具保持具は、長細矩形状の基台と、上記基台の幅方向中央部に長さ方向に沿って凸形状の台とを備え、上記台は上記パネル固定金具の備えるＴ字状の突起部が嵌挿可能であって且つ多段に設けられた複数の溝部を備え、上記パネル金具保持具は、上記手摺り支柱の長さ方向に固定され、
上記パネル固定金具は、左右に設けた一対のパネル嵌合溝と上記一対のパネル嵌合溝を仕切る隔壁とからなるパネル保持部と、上記隔壁の延長上にＴ字状の突起部とを備え、
上記Ｔ字状の突起部が、上記のパネル固定金具保持具の備える上記複数の溝部のうちのいずれかに嵌挿されることにより、パネル嵌合溝に固定されるパネルの位置を調節することを特徴とするパネル固定具。
【請求項４】
上記溝部が第１溝部及び第２溝部からなる請求項３に記載パネル固定具。
【発明の詳細な説明】
【技術分野】
【０００１】
本願は手摺り支柱に取付けるパネル固定具に関する。詳しくは、手摺り支柱に取付ける複数のパネルを同一平面上に調節・固定し、配列されたパネルの美観をたかめるパネル固定具に関する。
【背景技術】
【０００２】
建造物のベランダ等に設置される手摺りは直射日光を避け、風除けのため、更には建造物の外観を美しく保つため、パネルを設けることが多くなっている。上述したように、このパネルは建造物の美的外観の重要な要素となる。個々のパネルが凹凸無く、同一平面上にスッキリと配列されているときは見た目にも美しい。一方、個々のパネルが同一平面上に配列されず凹凸をもってされたときは、建造物全体の美しさを阻害する。
【０００３】
通常このパネル取付け用の手摺り支柱は、ベランダの堰堤に埋め込んで立設される。この堰堤に使用される背筋の位置、建造物の構造上の理由等により同一規格の手摺り支柱を一直線上に設けることができない場合があり、あるいは異種規格の手摺りパネルを使用しなければならない場合等がある。このため、全てのパネルを同一平面上に配列することが困難な場合が生じて、パネルの配列に凹凸が生じ建造物の美観を損なう場合がある。
【０００４】
パネル取付け構造については下記特許文献１に開示されている。この特許文献によれば、堰堤に一直線上に手摺り支柱の取付けが困難な場合又は異種規格の手摺り支柱の使用を余儀なくされた場合は複数のパネルの配列が同一平面上に固定できないときがある。この場合、複数のパネルを同一平面上に配列させる調節が面倒である。
【先行技術文献】
【特許文献】
【０００５】
【特許文献１】特開２０１１−６９０６７号広報
【発明の概要】
【発明が解決しようとする課題】
【０００６】
本発明は、建造物に使用されるパネルの美観をたかめるために、手摺り支柱に取付ける複数のパネルを同一平面上に配列させることが可能な、簡易且つ安価なパネル固定具を提供する。本発明は建造物のベランダ等に利用される。
【課題を解決するための手段】
【０００７】
本願パネル固定具１は、パネル固定金具保持部を備えた手摺り支柱と、パネル固定金具とからなる。この手摺り支柱は角柱状であって、４面のうちの１面に上記パネル固定保持部を設ける。上記パネル固定金具保持部は、上記手摺り支柱の面の幅方向中央部に長さ方向に沿って凸形状の台からなり、この台は上記パネル固定金具の備えるＴ字状の突起部が嵌挿可能であって且つ多段に設けられた複数の溝部を備える。上記パネル固定金具は、左右に設けた一対のパネル嵌合溝と上記一対のパネル嵌合溝を仕切る隔壁とからなるパネル保持部と、上記隔壁の延長上にＴ字状の突起部とを備える。このＴ字状の突起部を、上記のパネル固定金具保持部の備える複数の溝部のいずれかに嵌挿することにより、パネル嵌合溝に固定されるパネル位置の手摺り支柱からの距離を調節する。
上述のパネル固定金具保持部の備える多段に設けられた複数の溝部は、通常は２段にして第１溝部と第２溝部とし、パネル固定金具の備えるＴ字状の突起は第１溝部及び第２溝部のうちのいずれか一方に嵌挿する。
【０００８】
他の発明である本願パネル固定具は、パネル固定金具保持具とパネル固定金具とを備え、このパネル固定金具保持具は汎用の角パイプ状の手摺り支柱にビス等を使用して取付け可能である。このパネル固定金具保持具は、長尺の基台とこの基台の中央に長さ方向に沿って凸形状の台を備え、この台にパネル固定金具の備えるＴ字状の突起部が嵌挿可能であって且つ、多段に複数の溝部を設ける。このパネル固定金具保持具を角パイプ状の手摺り支柱の面にビス等で固定する。
パネル固定金具は、上記で詳述したものをそのまま適用する。
上述の多段に設けられた複数の溝部は、通常は２段にして第１溝部と第２溝部とし、パネル固定金具の備えるＴ字状の突起は第１溝部及び第２溝部のうちのいずれか一方に嵌挿する。
【発明の効果】
【０００９】
本願発明のパネル固定具によれば、手摺り支柱に多段の複数の溝部を設けたパネル固定金具保持部を備えるため、パネル固定金具のＴ字状突起部をこれらの溝部のいずれかに嵌挿することにより、固定されるパネルの位置を手摺り支柱の面からの距離を容易に調節することができ、多数の手摺り支柱金型を用意する必要がない。このため、パネル設置工事費のコスト削減になる。
【００１０】
他の本願発明のパネル固定具によれば、上述のパネル固定保持部を独立してパネル固定金具保持具として、手摺り支柱の面に取付けるため、手摺り支柱は汎用の角パイプ状のものが使用可能となる。このため、特別の手摺り支柱の金型を必要としないため、更に、いっそうパネル設置工事費のコスト削減になる。
【図面の簡単な説明】
【００１１】
【図１】本願パネル固定具の斜視図である。
【図２】本願パネル固定具の分解組立て図である。
【図３】他の本願発明に係るパネル固定具の斜視図である。
【図４】他の本願発明に係るパネル固定具の分解組立て図である。
【図５】本願パネル固定具に係るパネル固定金具保持具の備える第１溝部に、パネル固定金具の備えるＴ字状の突起部を嵌挿した状態を示す一部断面模式図である。
【図６】本願パネル固定具に係るパネル固定金具保持具の備える第２溝部に、パネル固定金具の備えるＴ字状の突起部を嵌挿した状態を示す一部断面模式図である。
【図７】Ｔ字状の突起を第１溝部と第２溝部のそれぞれに嵌挿したて手摺り支柱を用いてパネルの位置を調節する説明図である。
【図８】本願パネル固定具を使用してパネルを取付けた状態を示す正面外観模式図である。
【発明を実施するための形態】
【００１２】
建造物のベランダ等に取付けられるパネルは、建造物全体の美観の重要な要素となる。個々のパネルが凹凸無く、同一平面上にスッキリと配列されているときは見た目にも美しい。これに反して、個々のパネルが同一平面上に配列されず凹凸をもってされたときは、建造物の美しさを阻害する。本発明に係るパネルとは矩形板状のものをいい、ガラスパネル等も含まれる。
【００１３】
通常このパネル取付け用の手摺り支柱は、ベランダの堰堤に埋め込んで立設される。この堰堤に使用される背筋の位置又は建造物の構造等の理由により同一規格の手摺り支柱を直線上に設けることができない場合がある。このため、全てのパネルを同一平面上に配列することが困難な場合が生じる。本発明は、これらの課題を解決するものである。
【００１４】
以下、本願パネル固定具を図に基づいて詳細に説明する。これらの図は本発明を説明するために模式的に描いたものであり、本発明はこれらの図に拘束されるものではない。また、部材等の符号（番号）は、共通のものは共通して用いている。更に、図から明らかな部材等は符号が省略してある。
【００１５】
図１は本願パネル固定具１の斜視図である。このパネル固定具１は、パネル固定金具保持部１１を備えた手摺り支柱１０と、パネル固定金具２０とからなる。この手摺り支柱１０は、角パイプの有する４面のうちの1面に上記パネル固定金具保持部１１を設けたものである。このパネル固定金具保持部１１は、上記手摺り支柱１０の面の幅方向中央部に長さ方向に沿って凸形状の台１４からなる。
【００１６】
この台１４はパネル固定金具２０の備えるＴ字状の突起部２４が嵌挿可能であって且つ多段に設けられた複数の溝部１４を備える。多段とは支柱１０の面から外側に向かって複数の溝部が重ねて設けられている状態をいう。この溝部の数は制限されることは無いが通常２〜４個であり、好ましくは２個である。溝部の数が多いと、パネル固定金具保持部１１の構造が複雑となるためであり、２個あれば、ほとんどのパネル設置施工に問題がない。この図においては、溝部の数を第１溝部１２及び第２溝部１３の２個ものを例として描いてある。
【００１７】
図２は本願パネル固定具１の分解組立て図である。パネル固定金具２０は、左右に設けた一対のパネル嵌合溝２１と上記一対のパネル嵌合溝を仕切る隔壁２２とからなるパネル保持部２３と、上記隔壁２２の延長上にＴ字状の突起部２４とを備え、このＴ字状の突起部２４が、上記のパネル固定金具保持部１１の備える第１溝部１２及び第２溝部１３のいずれか一方に嵌挿される。このため、パネル嵌合溝２１に固定されるパネルは、支柱からの位置（距離）を調節することができる。本願固定金具は、特殊形状の金型の種類を減らすことができるため、パネル設置工事の費用を低減することができる。
【００１８】
図３は、他の本願発明であるパネル固定具１００の斜視図である。このパネル固定具は、パネル固定金具保持具１１０とパネル固定金具２０とからなる。
図４は、パネル固定具１００の分解組立て図である。パネル固定金具１１０は手摺り支柱３０の面に固定して使用する。この手摺り支柱３０は汎用の角パイプ状のものが使用できるため、特殊形状の手摺り支柱を作製する必要がない。従って、上述のパネル固定具１よりも、更に、いっそう金型の種類を減らすことができてコストの削減をすることができる。
【００１９】
パネル固定具１００に係るパネル固定金具保持具１１０は細長矩形状の基台１６０とこの基台１６０の幅方向中央部に長さ方向に沿って凸形状の台１５０を備える。この基台１６０は、手摺り支柱３０の面に固定される。従って、基台１６０の形状は手摺り支柱３０の面の形状と略同一の細長矩形状となる。この基台１６０の手摺り支柱３０への固定手段は特に限定は無いが、ビス１７０による固定、接着剤による接着、溶接等が挙げられる。これらのうちでビス１７０による固定が特に好ましい。取付けが容易かつ堅固であり、さらに取外しも容易であるためである。
【００２０】
この基台１６０の幅方向中央部に長さ方向に沿って凸形状の台１５０は、パネル固定金具２０の備えるＴ字状の突起部２４が嵌挿可能であって且つ多段に設けられた複数の溝部１４０を備える。多段とは支柱１０の面から外側に向かって複数の溝部が重ねて設けられている状態をいう。この溝部の数は制限されることは無いが通常２〜４個であり、好ましくは２個である。溝部の数が多いと、パネル固定金具保持部１１の構造が複雑となるためであり、２個あれば、ほとんどのパネル設置施工に問題がない。この図においては、溝部の数を第１溝部１２０及び第２溝部１３０の２個ものを例として描いてある。このパネル固定具１００に使用される固定金具２０は上述のパネル固定具１に使用されたものがそのまま適用される。
【００２１】
図５は、本願パネル固定具１００に係るパネル固定金具保持具１１０の備える第１溝部１２０に、パネル固定金具２０の備えるＴ字状の突起部２４を嵌挿した状態を示す一部断面模式図である。パネル保持部２３のパネル嵌合溝２１にはパネルが嵌合される。この図からわかるようにパネル固定金具２０の備えるＴ字状の突起部２４を第１溝部１２０に嵌挿した場合と、第２溝部１３に嵌挿した場合では、パネル５０の手摺り支柱３０からの距離が異なる。
【００２２】
図６は、本願発明に係るパネル固定金具保持具１１０の備える第２溝部１３０に、パネル固定金具２０の備えるＴ字状の突起部２４を嵌挿した状態を示す一部断面模式図である。この図における手摺り支柱４０は、図５に係る手摺り支柱３０と比較して、幅広で奥行きの小さい手摺り支柱４０を使用している。
【００２３】
図７は、Ｔ字状の突起を第１溝部と第２溝部のそれぞれに嵌挿したて手摺り支柱を用いてパネルの位置を調節する説明図である。ベランダの堰堤６０上に手摺り支柱３０、４０を立設し、この各々の手摺り支柱３０，４０にパネル固定金具保持具１１０をビス１７０で固定し、パネル固定金具２０の備えるＴ字状の突起部２４を手摺り支柱３０には第１溝部１２０に、手摺り支柱４０には第２溝部１３０に嵌挿して、複数のパネル５０が同一平面に配列されるように調節している。
【００２４】
複数のパネル５０は同一平面上にスッキリと配列されて、ベランダの外部から見た場合には見た目に美しい。特にこのパネルがガラスパネルの場合は、光の反射が同一になるため特に美しい。また、ベランダの内部から見た場合においても、手摺り支柱３０、４０の面が一直線上に配列され、美観が保持される。
図８は本願パネル固定具１００を使用してパネル５０を取付けた状態を示す正面外観模式図である。
【符号の説明】
【００２５】
１          パネル固定具
１０        手摺り支柱
１１        パネル固定金具保持部
１２        第１溝部
１３        第２溝部
１４        溝部
２０        パネル固定金具
２１        パネル嵌合溝
２２        隔壁
２３        パネル保持部
２４        突起部
３０        手摺り支柱
４０        手摺り支柱
５０        パネル
６０        堰堤
１００      パネル固定具
１１０      パネル固定金具保持具
１２０      第１溝部
１３０      第２溝部
１４０      溝部
１５０      台
１６０      基台
【図１】
0005639614.tif 000002
【図２】
0005639614.tif 000003
【図３】
0005639614.tif 000004
【図４】
0005639614.tif 000005
【図５】
0005639614.tif 000006
【図６】
0005639614.tif 000007
【図７】
0005639614.tif 000008
【図８】
0005639614.tif 000009